(57)【要約】【課題】身体状態を評価する機能を使用するモチベーションを高くする。【解決手段】シート本体と、シート本体に座っている着座者の身体状態を特定するための測定値を取得するセンサ（圧力センサ８）と、センサから測定値を取得可能にセンサと接続され、他の機器と通信可能に構成された制御部１００とを備える身体状態共有シートである。制御部１００は、測定値に基づいて、身体状態の評価値を算出する評価部１２１と、評価値を、着座者が使用する端末へ提示する評価値提示部１２２と、評価部により得られた、または、他の身体状態共有シートから得られた、他の着座者の身体状態の評価値である他者評価値を取得する共有データ取得部１６１と、他者評価値を、着座者が使用する端末へ提示する共有データ提示部１６２とを備える。【選択図】図３
2019077220.tif 000002
【特許請求の範囲】
【請求項１】
シート本体と、
前記シート本体に座っている着座者の身体状態を特定するための測定値を取得するセンサと、
前記センサから前記測定値を取得可能に前記センサと接続され、他の機器と通信可能に構成された制御部とを備える身体状態共有シートであって、
前記制御部は、
前記測定値に基づいて、前記身体状態の評価値を算出する評価部と、
前記評価値を、前記着座者が使用する端末へ提示する評価値提示部と、
前記評価部により得られた、または、他の身体状態共有シートから得られた、他の着座者の身体状態の評価値である他者評価値を取得する共有データ取得部と、
前記他者評価値を、前記着座者が使用する端末へ提示する共有データ提示部とを備えることを特徴とする身体状態共有シート。
【請求項２】
前記制御部は、
前記着座者が使用する端末に、前記評価値の目標値を提示する目標値提示部と、
前記目標値の提示前に前記評価部が算出した評価値と、前記目標値の提示後に前記評価部が算出した評価値とに基づいて、目標値の達成度を算出する達成度算出部とをさらに備え、
前記共有データ取得部は、前記達成度算出部により得られた、または、他の身体状態共有シートから得られた、他の着座者の達成度である他者達成度を取得し、
前記共有データ提示部は、前記他者評価値に代えて前記他者達成度を、または、前記他者評価値および前記他者達成度を、前記着座者が使用する端末へ提示することを特徴とする請求項１に記載の身体状態共有シート。
【請求項３】
前記共有データ提示部は、前記目標値提示部が前記目標値を提示する前に、前記他者評価値を、前記着座者が使用する端末へ提示することを特徴とする請求項２に記載の身体状態共有シート。
【請求項４】
前記共有データ提示部は、前記達成度算出部が前記達成度を算出した後に、前記他者評価値を、前記着座者が使用する端末へ提示することを特徴とする請求項２または請求項３に記載の身体状態共有シート。
【請求項５】
前記共有データ提示部は、前記センサが着座者の前記測定値を測定中で、前記評価部が前記評価値の算出中に、前記他者評価値を、前記着座者が使用する端末へ提示することを特徴とする請求項２から請求項４のいずれか１項に記載の身体状態共有シート。
【請求項６】
前記共有データ提示部は、前記着座者が使用する端末に現在の評価値が提示されている最中に、前記他者評価値を、前記着座者が使用する端末へ提示することを特徴とする請求項５に記載の身体状態共有シート。
【請求項７】
前記制御部は、前記評価値に基づいて、評価値を高くするためのアドバイスを取得し、前記着座者が使用する端末に提示するアドバイス提示部を備えることを特徴とする請求項１から請求項６のいずれか１項に記載の身体状態共有シート。
【請求項８】
前記制御部は、前記評価値提示部と前記共有データ提示部により、前記着座者が使用する端末に、前記評価値と前記他者評価値とを比較して提示することを特徴とする請求項１から請求項７のいずれか１項に記載の身体状態共有シート。
【請求項９】
前記シート本体は、車両に搭載され、
前記共有データ取得部は、他の車両に搭載された身体状態共有シートから、他者評価値を取得することを特徴とする請求項１から請求項８のいずれか１項に記載の身体状態共有シート。
【請求項１０】
前記シート本体は、車両に搭載され、
前記共有データ取得部は、当該車両中の複数の身体状態共有シートの前記評価値および前記他者評価値の平均値を取得し、
前記共有データ提示部は、前記平均値を前記着座者が使用する端末へ提示することを特徴とする請求項１から請求項９のいずれか１項に記載の身体状態共有シート。
【発明の詳細な説明】
【技術分野】
【０００１】
本発明は、着座者の身体状態を評価可能なシートに関する。
【背景技術】
【０００２】
従来、運転者のシートに圧力センサ等を搭載して、着座者の着座姿勢を推定する装置が知られている（特許文献１）。
【先行技術文献】
【特許文献】
【０００３】
【特許文献１】特開平１１−０６４１３１号公報
【発明の概要】
【発明が解決しようとする課題】
【０００４】
しかし、従来の装置では、運転者の着座姿勢を評価して提示するだけであるので、着座者がその機能を使用するモチベーションがあまり湧かず、有効に利用されないという問題がある。
【０００５】
そこで、本発明は、着座者の身体状態を評価可能なシートにおいて、身体状態を評価する機能を使用するモチベーションを高くすることを目的とする。
【課題を解決するための手段】
【０００６】
課題を解決する本発明は、シート本体と、シート本体に座っている着座者の身体状態を特定するための測定値を取得するセンサと、センサから測定値を取得可能にセンサと接続され、他の機器と通信可能に構成された制御部とを備える身体状態共有シートである。このシートにおいて、制御部は、測定値に基づいて、身体状態の評価値を算出する評価部と、評価値を、着座者が使用する端末へ提示する評価値提示部と、評価部により得られた、または、他の身体状態共有シートから得られた、他の着座者の身体状態の評価値である他者評価値を取得する共有データ取得部と、他者評価値を、着座者が使用する端末へ提示する共有データ提示部とを備えることを特徴とする。
【０００７】
このようなシートによれば、着座者が使用する端末に、着座者の身体状態を評価する評価値が提示されるだけでなく、他の着座者の身体状態の評価値である他者評価値も提示されるので、例えば、他者評価値を知ることによる、または、他人に自分の評価値が知られるかもしれないことによる、評価値を向上しようとする気持ちが出てくる可能性がある。また、評価値を他人と共有することにより楽しみも得られることになる。このため、身体状態を評価する機能を使用するモチベーションを高くすることができる。
【０００８】
前記したシートにおいて、制御部は、着座者が使用する端末に、評価値の目標値を提示する目標値提示部と、目標値の提示前に評価部が算出した評価値と、目標値の提示後に評価部が算出した評価値とに基づいて、目標値の達成度を算出する達成度算出部とをさらに備えることができる。この場合、共有データ取得部は、達成度算出部により得られた、または、他の身体状態共有シートから得られた、他の着座者の達成度である他者達成度を取得し、共有データ提示部は、他者評価値に代えて他者達成度を、または、他者評価値および他者達成度を、着座者が使用する端末へ提示する構成とすることができる。
【０００９】
このようなシートによれば、着座者が使用する端末に、着座者の身体状態の目標値の達成度が提示されるだけでなく、他の着座者の身体状態の目標値の達成度である他者達成度も提示されるので、例えば、他者達成度を知ることによる、または、他人に自分の評価値が知られるかもしれないことによる、達成度を向上しようとする気持ちが出てくる可能性がある。また、達成度を他人と共有することにより楽しみも得られることになる。このため、身体状態を評価する機能を使用するモチベーションを高くすることができる。
【００１０】
前記したシートにおいて、共有データ提示部は、目標値提示部が目標値を提示する前に、他者評価値を、着座者が使用する端末へ提示することができる。
【００１１】
また、共有データ提示部は、達成度算出部が達成度を算出した後に、他者評価値を、着座者が使用する端末へ提示することができる。
【００１２】
また、共有データ提示部は、センサが着座者の測定値を測定中で、評価部が評価値の算出中に、他者評価値を、着座者が使用する端末へ提示することができる。
【００１３】
また、共有データ提示部は、着座者が使用する端末に現在の評価値が提示されている最中に、他者評価値を、着座者が使用する端末へ提示することができる。
【００１４】
前記したシートにおいて、制御部は、評価値に基づいて、評価値を高くするためのアドバイスを取得し、着座者が使用する端末に提示するアドバイス提示部を備えることができる。
【００１５】
このようなシートによれば、着座者は、端末に提示されたアドバイスを参照して身体情報の評価値を高くするように楽しむことができる。
【００１６】
前記したシートにおいて、制御部は、評価値提示部と共有データ提示部により、着座者が使用する端末に、評価値と他者評価値とを比較して提示することが望ましい。
【００１７】
このようなシートによれば、着座者が使用する端末に、評価値と他者評価値とが比較して表示されるので、着座者のモチベーションをさらに高くすることができる。
【００１８】
前記したシートにおいて、シート本体は、車両に搭載されていてもよい。この場合、共有データ取得部は、他の車両に搭載された身体状態共有シートから、他者評価値を取得することができる。
【００１９】
このようなシートによれば、他の車両の身体状態共有シートから得られた他者評価値を着座者が使用する端末に提示することで、着座者のモチベーションをさらに高くすることができる。
【００２０】
シート本体が車両に搭載されている場合、共有データ取得部は、当該車両中の複数の身体状態共有シートの評価値および他者評価値の平均値を取得し、共有データ提示部は、当該平均値を着座者が使用する端末へ提示することができる。
【００２１】
このような構成によれば、着座者が評価値および他者評価値の平均値を知ることで、着座者のモチベーションをさらに高くすることができる。
【発明の効果】
【００２２】
本発明によれば、着座者は、身体状態についての自分の評価値を知るだけでなく、他者評価値を知ることにより、身体状態を評価する機能を使用するモチベーションを高くすることができる。
【００２３】
また、着座者が使用する端末に他者達成度が提示されることにより、着座者は、身体状態についての自分の評価値の達成度を知るだけでなく、他者達成度を知ることにより、身体状態を評価する機能を使用するモチベーションを高くすることができる。
【００２４】
また、身体状態共有シートがアドバイス提示部を備えることで、着座者は、端末に提示されたアドバイスを参照して身体情報の評価値を高くするように楽しむことができる。
【００２５】
また、着座者が使用する端末に、評価値と他者評価値とが比較して表示されることで、着座者のモチベーションをさらに高くすることができる。
【００２６】
また、他の車両の身体状態共有シートから得られた他者評価値を着座者が使用する端末に提示することで、着座者のモチベーションをさらに高くすることができる。
【００２７】
また、着座者が評価値および他者評価値の平均値を知ることで、着座者のモチベーションをさらに高くすることができる。
【図面の簡単な説明】
【００２８】
【図１】一実施形態に係る身体状態共有シートを使ったシステムの全体構成を説明する図である。
【図２】各身体状態共有シートの構成を説明する図である。
【図３】身体状態共有シートおよびシステムの構成を説明するブロック図である。
【図４】制御部の処理の一例を示すフローチャートである。
【図５】トレーニングプログラムの処理の一例を示すフローチャートである。
【図６】アプリのガイド画面である。
【図７】測定中画面である。
【図８】評価値とトレーニングプログラムの選択が表示されている画面である。
【図９】トレーニングプログラムの参加者選択画面である。
【図１０】目標値とアドバイスの表示画面である。
【図１１】トレーニング画面である。
【図１２】トレーニング後の評価値、達成度の表示画面である。
【図１３】他の実施形態に係る身体状態共有シートを使ったシステムの全体構成を説明する図である。
【図１４】他の実施形態に係る身体状態共有シートおよびシステムの構成を説明するブロック図である。
【発明を実施するための形態】
【００２９】
次に、本発明の一実施形態について、適宜図面を参照しながら詳細に説明する。
図１に示すように、身体状態共有シートＳは、例えば、車両ＣＲに搭載される車両用のシートとして構成される。車両ＣＲには、例えば、２つの前席と２つの後席の４つのシートに身体状態共有シートＳが設けられている。そして、車両ＣＲでは、この４つの身体状態共有シートＳの間で情報を統合し、これらを連携して動作させるとともに、着座者Ｐが使用する端末の一例であるスマートフォンＳＰと各身体状態共有シートＳとの通信を媒介するＥＣＵ（電子制御装置）３が採用されている。ＥＣＵ３と各身体状態共有シートＳとは、通信線によって接続されている。
このように車両ＣＲには、ＥＣＵ３と、複数の身体状態共有シートＳとによって、身体状態共有シートＳを使ったシステムＳＹＳが構成されている。
【００３０】
図２に示すように、身体状態共有シートＳは、シート本体を構成するシートクッションＳ１およびシートバックＳ２を有する。シートクッションＳ１とシートバックＳ２には、表皮の下に複数の圧力センサ８が設けられている。圧力センサ８は、シート本体に座っている着座者Ｐの身体状態を特定するための測定値を取得するセンサの一例である。
また、シートクッションＳ１の適宜な箇所には、制御部１００が設けられている。制御部１００は、圧力センサ８から測定値を取得可能になるように圧力センサ８と接続されている。また、制御部１００は、ＥＣＵ３と通信線によって接続されている。
【００３１】
ＥＣＵ３には、ブルートゥース（登録商標）またはＷｉ−Ｆｉ（登録商標）などの近距離無線通信を可能にする近距離通信機３Ａが設けられている。これにより、制御部１００は、他の機器の一例である他の身体状態共有シートＳの制御部１００と、ＥＣＵ３を介して通信可能である。
【００３２】
図３に示すように、制御部１００は、測定値取得部１１１と、処理部１１５と、通信部１８０と、記憶部１９０とを有する。制御部１００は、図示しないＣＰＵ、ＲＯＭ、ＲＡＭ、書換可能名不揮発性メモリ等を有し、予め記憶されたプログラムを実行することで各機能部が実現されている。
【００３３】
測定値取得部１１１は、複数の圧力センサ８から、一定の制御サイクルごとに圧力の測定値を取得する機能を有する。測定値取得部１１１が取得した測定値は、記憶部１９０に記憶され、処理部１１５で利用される。また、測定値取得部１１１は、スマートフォンＳＰに、測定中であることを示す画像を提示する機能を有する。測定中の画像は、例えば、各圧力センサ８で測定された測定値と、その圧力センサ８での理想の圧力値との差に基づき、図７に示すように、圧力センサ８の位置に対応した位置で、この差を色で表示する。例えば、理想的な圧力値である部分は緑、測定値が理想の圧力値より大きい場合には赤系の色、測定値が理想の圧力値より小さい場合には青系の色で表示することができる。
【００３４】
図３に戻り、処理部１１５は、評価部１２１と、評価値提示部１２２と、目標値設定部１３１と、目標値提示部１３２と、達成度算出部１４１と、達成度提示部１４２と、アドバイス提示部１５１と、コントロール画像提示部１５５と、共有データ取得部１６１と、共有データ提示部１６２と、共有データ送信部１６３とを有する。
【００３５】
評価部１２１は、圧力センサ８が測定した測定値に基づいて、着座者Ｐの身体状態の評価値を算出する機能を有する。身体状態の評価値の算出方法は任意である。評価部１２１は、算出した評価値を、適宜、記憶部１９０に記憶させる。なお、取得、算出、設定等した値は、適宜、記憶部１９０に記憶させるものとし、以下、記憶させることについての説明は適宜省略する。
【００３６】
着座者の身体状態としては、ここでは一例として着座者の座り方を例示するが、これに限定されるものではない。身体状態としては、例えば、圧力センサ８に基づく着座者の運動状態、心拍数に基づくストレスや眠気の状態、循環器疾患に関する状態、体型・姿勢の状態、体温に基づく健康状態などがある。
【００３７】
後述する着座者の座り方を評価する場合、例えば、記憶部１９０に、理想的な座り方をした場合に各圧力センサ８に掛かる圧力のバランス（圧力センサ８同士の相対値）を記憶しておく。そして、各圧力センサ８で測定した測定値（圧力）と、理想的な座り方の場合の圧力との差を求め、この差の合計を所定値（例えば、１００）から引くことで求めることができる。つまり、各圧力センサ８のに掛かる圧力のバランスが、理想的なものであれば１００点となるように評価することができる。
【００３８】
評価値提示部１２２は、評価部１２１により算出された評価値を、着座者Ｐが使用する端末であるスマートフォンＳＰへ提示する機能を有する。ここでは、一例として、スマートフォンＳＰの画面上に評価値を表示可能なように、スマートフォンＳＰに評価値のデータを送信する。
なお、本発明において、「提示する」とは、液晶ディスプレイなどの画面に文字や画像を表示することに限られず、着座者が認知可能な任意の方法で提示することを含む。例えば、音声により提示してもよいし、端末が点字を表示する装置であれば、端末に点字を表示することにより提示することもできる。
【００３９】
目標値設定部１３１は、着座者Ｐの評価値についての目標値を設定する機能を有する。目標値設定部１３１は、例えば、現在の着座者Ｐの評価値に対して、一定割合高い値を目標値として設定することができる。また、目標値には、上限（例えば、１００）を設定することもできる。
【００４０】
目標値提示部１３２は、目標値設定部１３１が設定した評価値の目標値をスマートフォンＳＰに提示する機能を有する。
【００４１】
達成度算出部１４１は、目標値の提示前に評価部１２１が算出した評価値と、目標値の提示後に評価部１２１が算出した評価値とに基づいて、目標値の達成度を算出する機能を有する。例えば、達成度は、目標値の提示後に評価部１２１が算出した評価値を、目標値の提示前に評価部１２１が算出した評価値で割ることで求めることができる。
【００４２】
達成度提示部１４２は、達成度算出部１４１が算出した達成度をスマートフォンＳＰに提示する機能を有する。
【００４３】
アドバイス提示部１５１は、着座者Ｐの現在の評価値に基づいて、評価値を高くするためのアドバイスを取得し、スマートフォンＳＰに提示する機能を有する。このアドバイスは、予め、評価値とアドバイスの内容（データ）とを対応づけて記憶部１９０に記憶させておくことができる。また、評価値だけでなく、圧力センサ８の圧力のバランスとアドバイスの内容とを関連づけて記憶させておいてもよい。なお、アドバイスを提示するタイミングは特に限定されない。
【００４４】
コントロール画像提示部１５５は、スマートフォンＳＰに、身体状態の測定および共有の機能を使用するための機能の選択ボタンなどのコントロール画像を提示する機能を有する。
【００４５】
共有データ取得部１６１は、他の着座者（過去にその身体状態共有シートＳに着座していた者または他の身体状態共有シートＳに着座している者）の身体状態の評価値である他者評価値と、他の着座者の達成度である他者達成度を取得する機能を有する。
【００４６】
共有データ取得部１６１が取得する他者評価値は、その身体状態共有シートＳの評価部１２１から得られたものであってもよいし、他の身体状態共有シートＳから得られたものであってもよい。他者評価値が、その身体状態共有シートＳの評価部１２１から得られたものである場合、共有データ取得部１６１は、記憶部１９０から取得することができる。他者評価値が、他の身体状態共有シートＳから得られたものである場合、共有データ取得部１６１は、ＥＣＵ３から取得することができる。
【００４７】
共有データ取得部１６１が取得する他者達成度は、その身体状態共有シートＳの達成度算出部１４１から得られたものであってもよいし、他の身体状態共有シートＳから得られたものであってもよい。他者達成度が、その身体状態共有シートＳの達成度算出部１４１から得られたものである場合、共有データ取得部１６１は、記憶部１９０から取得することができる。他者達成度が、他の身体状態共有シートＳから得られたものである場合、共有データ取得部１６１は、ＥＣＵ３から取得することができる。
【００４８】
また、共有データ取得部１６１は、車両ＣＲ中の複数の身体状態共有シートＳの評価値および他者評価値の平均値を取得する機能を有する。本実施形態においては、評価値および他者評価値の平均値は、ＥＣＵ３が記憶しており、共有データ取得部１６１は、平均値をＥＣＵ３から取得する。評価値および他者評価値の平均値は、すなわち、ＥＣＵ３に接続されている、車両ＣＲ中の複数の身体状態共有シートＳが算出した評価値の平均値である。この平均値は、当該車両ＣＲ中の現在着座している着座者Ｐのすべての評価値の平均値であってもよいし、現在および過去に当該車両ＣＲ中の身体状態共有シートＳで算出されたすべての評価値の平均値であってもよい。本実施形態においては、一例として、平均値は、当該車両ＣＲ中の現在着座している着座者Ｐのすべての評価値の平均値とする。
【００４９】
共有データ提示部１６２は、他者評価値および／または他者達成度を、着座者Ｐが使用するスマートフォンＳＰへ提示する機能を有する。本実施形態においては、共有データ提示部１６２は、他者評価値および他者達成度をスマートフォンＳＰへ提示する。
【００５０】
また、共有データ提示部１６２は、評価値および他者評価値の平均値をスマートフォンＳＰへ提示する機能を有する。
さらに、共有データ提示部１６２は、目標値提示部１３２が目標値を提示する前に、他者評価値を、着座者Ｐが使用するスマートフォンＳＰへ提示する。
また、共有データ提示部１６２は、達成度算出部１４１が達成度を算出した後に、他者評価値を、着座者Ｐが使用する端末へ提示する。
また、共有データ提示部１６２は、圧力センサ８が着座者Ｐの測定値を測定中で、評価部１２１が評価値の算出中に、他者評価値を、着座者Ｐが使用するスマートフォンＳＰへ提示する。
また、共有データ提示部１６２は、着座者Ｐが使用するスマートフォンＳＰに現在の評価値が提示されている最中に、他者評価値を、着座者Ｐが使用するスマートフォンＳＰへ提示する。この際、共有データ提示部１６２は、評価値提示部１２２とともに、着座者Ｐが使用するスマートフォンＳＰに、評価値と他者評価値とを比較して提示する。
【００５１】
評価値と他者評価値を比較して提示する方法は任意である。一例として、評価値と他者評価値を同じ画面上に並べて表示することで比較することができる。また、評価値の時間的変化を示すグラフと、他者評価値の時間的変化を示すグラフとを重ねて表示するようにしてもよい。
【００５２】
共有データ送信部１６３は、身体状態共有シートＳで得られたデータ、例えば、測定値、評価値、目標値および達成度などを、ＥＣＵ３に送信する機能を有する。これにより、複数の身体状態共有シートＳが、ＥＣＵ３を介して各データを共有することができる。
【００５３】
通信部１８０は、他の機器と通信をするための機能を有する。
【００５４】
記憶部１９０は、演算、処理に必要なデータを適宜記憶する機能を有する。
【００５５】
一方、ＥＣＵ３は、平均値算出部３１と、データ蓄積部３３と、データ供給部３４と、車内通信部３８と、記憶部３９とを備える。
【００５６】
平均値算出部３１は、車両ＣＲ内の、ＥＣＵ３に接続された複数の身体状態共有シートＳで算出されたすべての評価値の平均値を算出する機能を有する。
【００５７】
データ蓄積部３３は、各身体状態共有シートＳから送信されてきた各データを記憶部３９に蓄積する機能を有する。
【００５８】
データ供給部３４は、各身体状態共有シートＳの要求に応じて、記憶部３９に記憶されているデータを当該身体状態共有シートＳに送信する機能を有する。
【００５９】
車内通信部３８は、車両ＣＲ内の、ＥＣＵ３に接続された複数の身体状態共有シートＳと通信をする機能を有する。ＥＣＵ３は、車内通信部３８を介して制御部１００との通信を行う。
また、ＥＣＵ３は、近距離通信機３Ａを介して制御部１００とスマートフォンＳＰと通信を媒介する。例えば、制御部１００からの各種のデータの提示の指示をスマートフォンＳＰに送信し、スマートフォンＳＰからの操作信号を制御部１００に送信する。
【００６０】
記憶部３９は、各身体状態共有シートＳから取得したデータや、平均値算出部３１が算出した平均値等を記憶する機能を有する。
【００６１】
スマートフォンＳＰには、身体状態共有シートＳに対応したアプリケーション（アプリ）がインストールされている。このアプリケーションは、身体状態共有シートＳによるデータの提示の指示に応じた画面を表示する。また、スマートフォンＳＰは、制御部１００の指示に応じ身体状態共有シートＳで実行可能な機能の選択画面を提供するように構成されている。
【００６２】
以上のような制御部１００の処理の一例と、スマートフォンＳＰの画面の遷移の一例を図４〜図１２を参照して説明する。
図４に示すように、身体状態共有シートＳの機能およびスマートフォンＳＰのアプリケーションを立ち上げると、ガイド画面ＳＣ１を提示する（Ｓ１０１、図６参照）。ガイド画面ＳＣ１には、スタートボタンＢ１が表示されており、着座者ＰがスタートボタンＢ１を押すことで、ステップＳ１０２へ進む。
【００６３】
制御部１００が、スタートボタンＢ１が押された信号を受信すると、測定値取得部１１１は、各圧力センサ８から測定値を取得する（Ｓ１０２）。そして、測定値取得部１１１は、スマートフォンＳＰに、図７のような、測定中であることを示す測定中画面ＳＣ２を提示する。
【００６４】
そして、所定時間の測定が終了すると、評価部１２１は、測定値に基づいて評価値を算出し、評価値提示部１２２は、スマートフォンＳＰに、図８に示すような評価値提示画面ＳＣ３を提示する（Ｓ１０３）。
また、共有データ取得部１６１は、他者評価値と平均値を取得し（Ｓ１０４）、共有データ提示部１６２は、図８の評価値提示画面ＳＣ３に、他者評価値と平均値を提示する（Ｓ１０５）。
すなわち、共有データ提示部１６２は、評価値と他者評価値を比較して提示する。
【００６５】
また、コントロール画像提示部１５５は、評価値提示画面ＳＣ３に、トレーニングプログラムとして、「車内でわいわいトレーニングコース」の選択ボタンＢ２と、「１人でストイックにトレーニングコース」の選択ボタンＢ３と、終了ボタンＢ４を提示する（Ｓ１０５）。
【００６６】
そして、制御部１００は、スマートフォンＳＰからのプログラムの選択を受け付ける。（Ｓ１１０）。着座者Ｐにより終了ボタンＢ４が選択された場合には、処理を終了する。一方、「車内でわいわいトレーニングコース」または「１人でストイックにトレーニングコース」が選択された場合には、コントロール画像提示部１５５は、トレーニングプログラムに応じた画像を提示する。例えば、車内でワイワイトレーニングコースが選択された場合には、図９に示すような、参加者を選択する参加者選択画面ＳＣ４を提示する。この画面で、着座者Ｐは、参加者を選択し、次へボタンＢ５を押すことで、制御部１００の処理を促す。
【００６７】
制御部１００が、次へボタンＢ５の信号を受信すると、目標値設定部１３１は、プログラムに応じた目標値を設定し、目標値提示部１３２は、図１０に示すように、この目標値をスマートフォンＳＰに提示する（Ｓ１１１、目標値提示画面ＳＣ５）。また、アドバイス提示部１５１は、着座者Ｐの身体状態の評価値に基づいてアドバイスを取得し、目標値提示画面ＳＣ５に提示する（Ｓ１１２）。
【００６８】
そして、制御部１００は、スタートボタンＢ１１が押された信号を受信すると、トレーニングプログラムを実行する。
例えば、図５に示すように、まず、測定値取得部１１１が圧力センサ８から測定値を取得し（Ｓ２０１）、図１１のようなトレーニング画面ＳＣ６に測定中の画像を提示する。測定中の画像では、測定値と理想値の差を色で提示する。（Ｓ２０２）。そして、評価部１２１は評価値を算出し（Ｓ２０３）、共有データ取得部１６１は、他者評価値をＥＣＵ３から取得する（Ｓ２０４）。そして、評価値提示部１２２は、現在の評価値を図１１のトレーニング画面ＳＣ６に提示し、共有データ提示部１６２は、現在の他者評価値をトレーニング画面ＳＣ６に提示する（Ｓ２０５）。すなわち、共有データ提示部１６２は、圧力センサ８が着座者Ｐの測定値を測定中で、評価部１２１が評価値の算出中に、他者評価値を提示するとともに、着座者Ｐが使用するスマートフォンＳＰに現在の評価値が提示されている最中に、他者評価値を、着座者Ｐが使用するスマートフォンＳＰへ提示する。
【００６９】
着座者Ｐは、このトレーニング画面ＳＣ６を見ながら、測定中の画像（シートの画像）の中のすべての圧力センサ８に対応する部分の色が緑になるように座り方を調整して座り方をトレーニングする。
トレーニング画面ＳＣ６には、コントロール画像提示部１５５により、トレーニングの残り時間が提示される。
【００７０】
制御部１００は、所定時間が経過したかどうかを判定し（Ｓ２１０）、所定時間が経過するまで（Ｓ２１０、Ｎｏ）、Ｓ２０１〜Ｓ２０５の測定、提示を続ける。そして、所定時間が経過したら（Ｓ２１０、Ｙｅｓ）、トレーニングプログラムを終了する。
【００７１】
そして、図４に示すように、ステップＳ２００の後、測定値取得部１１１は、圧力センサ８から測定値を取得する（Ｓ１２１）。このときも、測定値取得部１１１は、図７のような測定中画面ＳＣ２を提示する。そして、評価部１２１は、このトレーニング後の測定値に基づいて評価値と達成度を算出する（Ｓ１２２）。そして、評価値提示部１２２は、スマートフォンＳＰに評価値を提示し、達成度提示部１４２は、スマートフォンＳＰに達成度を提示し、共有データ取得部１６１は、他者評価値と他者達成度をＥＣＵ３から取得し、共有データ提示部１６２は、他者評価値と他者達成度をスマートフォンＳＰに提示する（Ｓ１２３）。これにより、例えば、図１２に示すような、トレーニング終了後の達成度提示画面ＳＣ７が表示される。達成度提示画面ＳＣ７では、トレーニング終了後の評価値に基づいたアドバイスをアドバイス提示部１５１により提示することが望ましい。この画面で、着座者Ｐにより終了ボタンＢ１２が押されれば、スマートフォンＳＰのアプリケーションと制御部１００の処理が終了する。
【００７２】
なお、評価値提示画面ＳＣ３において、例えば、着座者Ｐにより「１人でストイックにトレーニングコース」が選択された場合には、図９の参加者選択画面ＳＣ４の提示を省略し、図１１のトレーニング画面ＳＣ６で他者評価値の提示を省略すればよい。また、図１２の達成度提示画面ＳＣ７では、他者達成度の提示を省略してもよいし、過去の他者達成度を提示してもよい。
【００７３】
以上のようにして、本実施形態の身体状態共有シートＳおよびシステムＳＹＳによれば、着座者Ｐは、自己の身体状態の評価値を知ることができるだけでなく、他者評価値を知ることができる。このため、例えば、他者評価値を知ることによる、または、他人に自分の評価値が知られるかもしれないことによる、評価値を向上しようとする気持ちが出てくる可能性がある。また、評価値を他人と共有することにより楽しみも得られることになる。このため、身体状態を評価する機能を使用するモチベーションを高くすることができる。
【００７４】
また、本実施形態の身体状態共有シートＳおよびシステムＳＹＳによれば、自己の身体状態の評価値の達成度を知ることができるだけでなく、他者達成度を知ることができる。このため、例えば、他者達成度を知ることによる、または、他人に自分の評価値が知られるかもしれないことによる、達成度を向上しようとする気持ちが出てくる可能性がある。また、達成度を他人と共有することにより楽しみも得られることになる。このため、身体状態を評価する機能を使用するモチベーションを高くすることができる。
【００７５】
また、着座者Ｐは、スマートフォンＳＰに提示されたアドバイスを参照して身体情報の評価値を高くするように楽しむことができる。さらに、身体状態共有シートＳは、着座者Ｐが使用するスマートフォンＳＰに、評価値と他者評価値とが比較して表示されるので、着座者Ｐのモチベーションをさらに高くすることができる。
【００７６】
また、身体状態共有シートＳによれば、着座者Ｐが評価値および他者評価値の平均値を知ることで、着座者Ｐのモチベーションをさらに高くすることができる。
【００７７】
以上に本発明の実施形態について説明したが、本発明は前記した実施形態に限定されるものではない。具体的な構成については、本発明の趣旨を逸脱しない範囲で適宜変更が可能である。
【００７８】
例えば、図１３に示す他の実施形態の身体状態共有シートＳおよびシステムＳＹＳのように、複数の車両ＣＲとの間でサーバー４を介して身体状態の情報を共有するように構成することもできる。このシステムＳＹＳでは、図１４に示すように、ＥＣＵ３には、インターネット通信機３Ｂが設けられ、サーバー４との間でインターネットを介してデータ通信をすることができるように構成される。また、ＥＣＵ３は、データ送信部３５と他者データ取得部３６をさらに備える。
【００７９】
データ送信部３５は、自己の車両ＣＲ内の身体状態共有シートＳから得られた各種のデータをサーバー４に送信する機能を有する。
他者データ取得部３６は、身体状態共有シートＳからの要求に応じて、他の車両ＣＲにおいて得られた他者の身体状態のデータをサーバー４から取得する機能を有する。
【００８０】
そして、身体状態共有シートＳの共有データ取得部１６１は、他の車両ＣＲに搭載された身体状態共有シートＳから、他者評価値および／または他者達成度を取得するように構成される。すなわち、共有データ取得部１６１は、他者評価値や他者達成度を、ＥＣＵ３を介してサーバー４から取得する。このように構成することで、着座者Ｐは、自車内だけでなく他車の着座者の他者評価値や他者達成度を知ることができる。他の車両ＣＲの身体状態共有シートＳから得られた他者評価値を着座者Ｐが使用するスマートフォンＳＰに提示することで、着座者Ｐのモチベーションをさらに高くすることができる。
【００８１】
前記実施形態においては、端末として、スマートフォンＳＰを例示したが、端末は、車両ＣＲに備え付けられた端末であってもよい。また、画面は必要ではなく、マイクとスピーカを備え、音声で身体状態共有シートＳに指示するとともに、音声で情報が提示されるように構成された端末であってもよい。
【００８２】
前記実施形態においては、共有データ提示部１６２は、他者評価値と他者達成度の両方を端末に提示していたが、他者評価値に代えて他者達成度を提示してもよい。つまり、他者評価値を提示することなく、他者達成度のみを提示してもよい。
【００８３】
前記実施形態においては、身体状態共有シートとして車両に搭載されるシートを例示したが、身体状態共有シートは、車両以外の乗物用シートや、乗物以外の家庭や施設等に設置されるシートであってもよい。
【００８４】
また、本明細書に記載した各実施形態および各変形例で説明した各要素は、適宜組み合わせて実施することが可能である。
【符号の説明】
【００８５】
１００  制御部
１１１  測定値取得部
１１５  処理部
１２１  評価部
１２２  評価値提示部
１３２  目標値提示部
１４１  達成度算出部
１５１  アドバイス提示部
１５５  コントロール画像提示部
１６１  共有データ取得部
１６２  共有データ提示部
１６３  共有データ送信部
１８０  通信部
１９０  記憶部
ＣＲ    車両
Ｐ      着座者
Ｓ      身体状態共有シート
Ｓ１    シートクッション
Ｓ２    シートバック
ＳＰ    スマートフォン
ＳＹＳ  システム
【図１】
2019077220.tif 000003
【図２】
2019077220.tif 000004
【図３】
2019077220.tif 000005
【図４】
2019077220.tif 000006
【図５】
2019077220.tif 000007
【図６】
2019077220.tif 000008
【図７】
2019077220.tif 000009
【図８】
2019077220.tif 000010
【図９】
2019077220.tif 000011
【図１０】
2019077220.tif 000012
【図１１】
2019077220.tif 000013
【図１２】
2019077220.tif 000014
【図１３】
2019077220.tif 000015
【図１４】
2019077220.tif 000016